(57)【要約】【課題】市場サービス時に圧縮機を交換する際に潤滑油を規定量以上に入れることも多く、その際には貯油室の油面が上昇し、貯油室内に設けられているベーン背圧制御装置のガス供給通路入口部が潤滑油で没してしまい、始動時に気流体（ガス冷媒）をベーン背圧室へ供給することが出来ずに、ベーンの不調現象や圧縮不良現象を発生してしまうという不具合がある。【解決手段】圧縮機構より圧縮された高圧流体が吐出される高圧室と、高圧流体から分離された潤滑油を貯える貯油室と、ベーンに背圧を作用させるベーン背圧室に気流体又は貯油室に貯えられた潤滑油を選択的に供給するベーン背圧制御装置とを備えたベーンロータリ型圧縮機において、高圧室と貯油室は隔壁により仕切られており、ベーン背圧制御装置がベーン背圧室に供給する気流体を取り入れるガス供給通路入口部を、高圧室の潤滑油が溜まらない位置に連通させたものである。【選択図】  図１
2005030277.tif 000002
【特許請求の範囲】
【請求項１】
ベーンがロータに設けられたベーン溝内を出没し、前記ロータと共にシリンダ内を回転して流体を吸入し、圧縮し、吐出するベーンロータリ型圧縮機構と、前記圧縮機構より圧縮された高圧流体が吐出される高圧室と、前記高圧流体から分離された潤滑油を貯える貯油室と、前記高圧流体を前記ベーン溝内へ供給するベーン背圧制御装置とを備えたベーンロータリ型圧縮機であって、前記高圧室と前記貯油室は隔壁により仕切られ、前記ベーン溝に供給する高圧流体を取り入れるベーン背圧制御装置のガス供給通路入口部を、前記高圧室に連通させたことを特徴とするベーンロータリ型圧縮機。
【請求項２】
前記ベーン背圧制御装置は、前記貯油室に配置され、前記ガス供給通路入口部を、前記高圧室の潤滑油が溜まらない箇所に開口した請求項１に記載のベーンロータリ型圧縮機。
【請求項３】
前記隔壁に、前記高圧室と貯油室を連通するガス取り入れ通路を設け、前記ベーン背圧制御装置のガス供給通路入口部を、前記ガス取り入れ通路に連通させた請求項１または２に記載のベーンロータリ型圧縮機。
【請求項４】
前記ガス取り入れ通路を、前記隔壁から高圧室内へ所定寸法突出させた請求項２または３記載のベーンロータリ型圧縮機。
【請求項５】
ベーンがロータに設けられたベーン溝内を出没し、前記ロータと共にシリンダ内を回転して流体を吸入し、圧縮し、吐出するベーンロータリ型圧縮機構と、前記圧縮機構より圧縮された高圧流体が吐出される高圧室と、前記高圧流体から分離された潤滑油を貯える貯油室と、前記高圧室の流体と前記貯油室に貯えられた潤滑油を選択的に前記ベーン溝内へ供給するベーン背圧制御装置とを備えたベーンロータリ型圧縮機であって、前記高圧室と前記貯油室は隔壁により仕切られ、前記ベーン溝に供給する高圧流体を取り入れるベーン背圧制御装置のガス供給通路入口部を、前記高圧室の潤滑油が溜まらない位置に連通させたことを特徴とするベーンロータリ型圧縮機。
【発明の詳細な説明】
【０００１】
【発明の属する技術分野】
本発明は、流体の圧縮を行う圧縮機に関するもので、特に自動車用空調装置などに用いられるベーンロータリ型圧縮機に関するものである。
【０００２】
【従来の技術】
この種におけるベーンロータリ型圧縮機は、ロータの回転に伴ってベーンがその先端をシリンダ内壁に接して回転摺動運転をするようにベーン背部に高圧の潤滑油を圧力差により供給する構成が広く用いられている（例えば特許文献１参照）。
この特許文献１に記載の圧縮機は、圧縮機の高低圧差がないか、または小さい場合に圧縮機を始動した場合でも、始動直後に生じるベーン背圧室内の圧力低下をガス供給通路からのガス状流体の供給によって防止し、また定常運転時においてはガス供給通路を遮断することによって適量の潤滑油をベーン背圧室へ供給するよう選択できるベーン背圧制御装置を備えている。
【０００３】
ところで、特許文献１に記載の圧縮機においては、潤滑油が圧縮吐出された高圧流体（冷媒ガス）に含まれて空調装置の冷凍サイクル部品中へ吐出されるのを抑制するため、圧縮機内部に油分離手段が設けられている。そして、前記ベーン背圧制御装置は、潤滑油をベーン背圧室に供給する関係から、油溜め室に設置され、また、前記ベーン背圧室へガスを供給する関係からベーン背圧制御装置のガス供給通路は、前記油溜め室における上方部分にその開口が設定されていた。
【０００４】
【特許文献１】
特開昭６３−１４０８７６号公報（第１図、第４図）
【０００５】
【発明が解決しようとする課題】
しかしながら、上記特許文献１に示される構成は、市場サービス時等において、圧縮機を交換する際に潤滑油を規定量以上に入れることも多く、その場合、前記油溜め室の油面が規定値より上昇し、車輌の振動などに起因してベーン背圧制御装置のガス供給通路入口部が潤滑油中に没してしまい、始動時に気流体（ガス冷媒）をベーン背圧室へ供給することが出来なくなることがあった。
そのため、特に圧縮機の起動初期からベーンの背圧が確保できず、ベーンがベーン溝に密着してロータから突出することができなくなり、この現象が生じると、ベーンの不調現象による異音（遠心力による突然のベーンのシリンダ内壁への衝突音）や、ベーンの突出不備に伴う圧縮不足が生じ、全然冷えないという致命的な不具合が発生するものであった。
【０００６】
本発明は、上記従来の課題に鑑み、高圧室とベーン背圧制御装置のガス供給通路入口部を連通することで、始動時にベーンの不調現象や圧縮不良現象を発生させない圧縮機を提供するものである。
【０００７】
【課題を解決するための手段】
上記目的を達成するために、本発明の請求項１記載のものは、ベーンがロータに設けられたベーン溝内を出没し、前記ロータと共にシリンダ内を回転して流体を吸入し、圧縮し、吐出するベーンロータリ型圧縮機構と、前記圧縮機構より圧縮された高圧流体が吐出される高圧室と、前記高圧流体から分離された潤滑油を貯える貯油室と、前記高圧流体を前記ベーン溝内へ供給するベーン背圧制御装置とを備えたベーンロータリ型圧縮機であって、前記高圧室と前記貯油室は隔壁により仕切られ、前記ベーン溝に供給する高圧流体を取り入れるベーン背圧制御装置のガス供給通路入口部を、前記高圧室に連通させたものである。
【０００８】
かかる構成により、例えば、市場サービスにおいて圧縮機を交換する際、誤って潤滑油を規定量以上入れてしまい、油面が上昇して貯油室満杯となっても、ベーン背圧制御装置のガス供給通路入口部は、高圧室の潤滑油が溜まらない位置に連通しているので、潤滑油で没してしまう事が無く、始動時に確実に気流体（ガス冷媒）を供給することができ、その結果、ベーンの不調現象や圧縮不良現象を防ぐことが出来る。
【０００９】
また、本発明は、前記ベーン背圧制御装置を、前記貯油室に配置し、前記ガス供給通路入口部を、前記高圧室の潤滑油が溜まらない箇所に開口したものである。
【００１０】
かかる構成とすることにより、車輌の振動等に起因して潤滑油面が波打っても、潤滑油のガス供給通路入口部への流入が抑制でき、前記ベーン背圧制御装置の動作を確実なものとする
また、本発明は、前記隔壁に、前記高圧室と貯油室を連通するガス取り入れ通路を設け、前記ベーン背圧制御装置のガス供給通路入口部を、前記ガス取り入れ通路に連通させたものである。
【００１１】
かかる構成とすることにより、前記ベーン背圧制御装置のガス取り入れ構造は、ガス供給通路入口部と、前記ガス取り入れ通路を連通させる構成でよいため、前記ベーン背圧制御装置の構成は、従来のままでよく、新たな構成要件を前記ベーン背圧制御装置に設ける必要がないものである。
【００１２】
また、本発明は、前記ベーン背圧制御装置のガス供給通路入口部を、前記隔壁から高圧室内へ所定寸法突出させたことにより、潤滑油のガス供給通路入口部からのガス成分の取り入れがより確実に行える。
【００１３】
さらに、本発明は、ベーンがロータに設けられたベーン溝内を出没し、前記ロータと共にシリンダ内を回転して流体を吸入し、圧縮し、吐出するベーンロータリ型圧縮機構と、前記圧縮機構より圧縮された高圧流体が吐出される高圧室と、前記高圧流体から分離された潤滑油を貯える貯油室と、前記高圧室の流体と前記貯油室に貯えられた潤滑油を選択的に前記ベーン溝内へ供給するベーン背圧制御装置とを備えたベーンロータリ型圧縮機であって、前記高圧室と前記貯油室は隔壁により仕切られ、前記ベーン溝に供給する高圧流体を取り入れるベーン背圧制御装置のガス供給通路入口部を、前記高圧室の潤滑油が溜まらない位置に連通させたものである。
【００１４】
かかる構成とすることにより、圧縮機の起動時は、ベーン溝内へ高圧室のガス流体を供給してベーンの飛び出し不調を改善し、圧縮機の起動後は、前記ベーン溝内へ貯油室の潤滑油を供給して圧縮機構における流体の吸入・圧縮・吐出作用を確実なものとすることができる。
【００１５】
【発明の実施の形態】
以下、本発明をいわゆるベーンロータリ型圧縮機に適用した例に基づき、本発明の実施の形態について、図面を参照しながら説明する。
【００１６】
図１乃至図４において、１は圧縮機で、円筒内壁を有するシリンダ２と、前記シリンダ２の前後の開口を閉塞する前部側板３、後部側板４および前記後部側板４と併設された高圧室カバー５より構成されている。
【００１７】
前記シリンダ２の内部には、略円柱状のロータ６が、その外周の一部をシリンダ２の内壁と微少隙間を形成するようにシリンダ２の軸芯から偏芯して回転自在に収容されている。前記ロータ６には、一体的に形成された駆動軸７が設けられ、この駆動軸７は、前記前部側板３及び後部側板４に軸支されている。８は前記ロータ６に設けられたベーン溝で、前記ロータ６の接線方向に掘り下げられており、等間隔（所定角度毎）に複数設けられている。９は前記ベーン溝８内に出没自在に設けられたベーンである。
【００１８】
ここで、前記ロータ６が回転すると、前記ベーン９は前記シリンダ２内壁を摺動し、シリンダ２内空間に、吸入空間２ａ、圧縮空間２ｂ、吐出空間２ｃを形成する。１０は前記シリンダ２に設けられた吸入孔で、一端は前記吸入空間２ａに開口し、他端は前記圧縮機１の吸入口１１に連通している。１２は前記シリンダ２に設けられた吐出孔で、前記吐出空間２ｃに開口し、吐出バルブ１３が設けられている。１４は前記シリンダ２の上部に設けられた高圧通路カバーで、前記吐出空間２ｃは、前記吐出孔１２を介してこの高圧通路カバー１４の高圧通路１５に連通している。１６は前記後部側板４に設けられた連通路で、これにより前記高圧通路１５と前記高圧室カバー５の内部に形成された高圧室１７が連通している。また、前記後部側板４には、前記シリンダ２内空間に面して前記吐出空間２ｃ、吸入空間２ａ、圧縮空間２ｂに延びるベーン背圧溝１８が設けられ、またこのベーン背圧溝１８に連通する給油路１９が貫通して設けられている。
【００１９】
次に、前記高圧室カバー５の構成について説明する。この高圧室カバー５は、隔壁２０により、内部が前記高圧室１７と、連通穴２１を介して前記高圧室１７と連通した先細り筒状の油分離室２２と、前記高圧室１７の下部に位置し、かつ前記油分離室２２の先細り開口２３を介して前記油分離室２２に連通した貯油室２４より構成されている。
【００２０】
前記油分離室２２は、いわゆる遠心分離式オイルセパレータと称される構造を有している。すなわち、同心円状の円筒空間２２ａが設けられ、この円筒空間２２ａに高圧流体（ガス冷媒）を導く連通穴２１は、この円筒空間２２ａの接線方向に高圧流体（ガス冷媒）を導くようにその向き、角度等が設定されている。すなわち、高圧流体（ガス冷媒）をより円滑に旋回させるために円筒空間２２ａの内周面２２ｂに沿って高圧流体（ガス冷媒）が吐出されるように形成されていることが望ましい。
【００２１】
また、前記油分離室２２の先細り先端側には、徐々に径が小さくなる導油路２６が設けられ、その先端に前記開口２３が設けられている。２５は前記油分離室２２の上端に設けられたガス排出口で、冷凍サイクル部品（図示せず）が接続される。２７は前記円筒空間２２ａにおける隔壁２０近傍に設けられた連通路で、前記貯油室２４と前記円筒空間２２ａの下部（導油路２６との境界近く）を連通しており、適宜貯油室２４と油分離室２２の圧力をバランスさせる。２８は前記高圧室１７と貯油室２４を連通するガス取り入れ通路で、前記隔壁２０を貫通する円筒体より形成され、たとえ高圧室１７に多少の潤滑油が溜まっても流入しないようにその先端は、前記高圧室１７内に突出している。
【００２２】
３０は前記貯油室２４に位置し、前記後部側板４に設けられたベーン背圧制御装置で、前記高圧室１７の高圧流体（ガス冷媒）と前記貯油室２４に溜まった潤滑油２９を適宜切り替えて前記ベーン背圧溝１８へ供給する。
【００２３】
このベーン背圧制御装置３０は、図４に示すように、ガス通路開閉手段３０Ａと、油路開閉手段３０Ｂを具備している。
【００２４】
前記ガス通路開閉手段３０Ａは、一端が前記ガス取り入れ通路２８に連通したガス供給通路入口部３０ａと、一端が前記ガス供給通路入口部３０ａに連通した第１ガス供給通路３０ｂと、上下動する第１プランジャ３０ｃ、第１プランジャ３０ｃの上下動により開閉する第１球弁３０ｄ及び第１弁座３０ｅ、前記第１プランジャ３０ｃの上下動作を調節する第１バイアスばね３０ｆ、前記第１プランジャ３０ｃを収納した第１プランジャ室３０ｇとからなる弁機構と、前記弁機構の開動作により前記第１ガス供給通路３０ｂと連通する第２ガス供給通路３０ｈと、前記第２ガス供給通路３０ｈと前記給油路１９との連通を制御する第２球弁３０ｉ、第２弁座３０ｊからなる弁機構と、一端が前記第１プランジャ室３０ｇに開口し、他端が後部側板４に形成され、前記シリンダ２内に開口したガス導入路３０ｋより構成されている。ここで、前記ガス導入路３０ｋは、前記シリンダ２内において、図２に示す如くロータ６の矢印Ｘ方向の回転に伴い、前部側板３と後部側板４およびベーン９で形成される空間であって、吸入圧力と同等若しくは吸入圧力よりより若干高い圧力となる部位に開口している。また、前記第２球弁３０ｉは前記第２ガス供給通路３０ｈと前記給油路１９の差圧によって連通・遮断を行う。
【００２５】
また、前記油路開閉手段３０Ｂは、前記シリンダ２内吐出空間２ｃの圧力を取り入れる回路と、貯油室２４内の圧力を取り入れる回路と、これら両回路からの圧力の差圧によって作動する弁機構より構成され、具体的には、一端が図２に示す如く前記シリンダ２内空間の吐出空間２ｃに極小面積で開口し、他端が第２プランジャ室３０ｌに連通した高圧導入路３０ｍと、第２プランジャ室３０ｌ内を上下動するように収納された第２プランジャ３０ｎと、第２プランジャ室３０ｌに収納され、第２プランジャ３０ｎの上下動作を調節する第２バイアスばね３０ｏと、前記第２プランジャ３０ｎの上下動により開閉動作を行う第３弁球３０ｐ、第３弁座３０ｑからなる弁機構と、前記第２プランジャ３０ｎにおける動作調節用の第２バイアスばね３０ｏの付勢力を考慮して前記第３球弁３０ｐを常時第３弁座３０ｑへ押圧する如く付勢する第３バイアスばね３０ｒと、一端が前記貯油室２４に開口し、他端が前記第３弁球３０ｐ、第３弁座３０ｑに連通した第１導入路３０ｓと、前記第３弁球３０ｐ、第３弁座３０ｑを介して前記第１導入路３０ｓを前記給油路１９に連通する第２導入路３０ｔより構成されている。
【００２６】
したがって、前記第３弁球３０ｐ、第３弁座３０ｑが開状態であれば、前記貯油室２４の潤滑油は、導入路３０ｔおよび給油路１９を介して前記ベーン背圧溝１８内へ供給される。
【００２７】
次に、上記構成からなる圧縮機１の動作について説明する。ここでは、説明の便宜上、運転されている圧縮機１の状態から圧縮機が停止し、再度起動される様子について説明する。
【００２８】
上記構成において、エンジン（図示せず）等の駆動源より駆動軸７に動力が伝達されると、ロータ６が回転し、これに伴ってベーン９も移動する。その結果、吸入孔１０から吸入された流体（冷媒）は、ベーン９、前部側板３、後部側板４によって形成される吸入空間２ａへ流入し、圧縮空間２ｂから吐出空間２ｃへ移動し、圧縮された高圧流体となって吐出孔１２から吐出される。
【００２９】
一方、ベーン９は、シリンダ２の内壁を摺動している間ベーン溝８内を出没しているが、前記ベーン溝８内に充満している潤滑油によって絶えず突出する方向に付勢されている。
【００３０】
つまり、油路開閉手段３０Ｂにおいて、プランジャ３０ｎは、高圧導入路３０ｍを介して供給されたシリンダ２内の吐出空間２ｃの圧力と、第１導入路３０ｓを介して供給された貯油室２４の圧力の差圧に委ねて動作している。この場合は、吐出空間２ｃの圧力が貯油室２４の圧力より上回っているため、第３弁球３０ｐ、第３弁座３０ｑは開放状態にある。
【００３１】
したがって、前記ベーン溝８へは、貯油室の潤滑油が３０ｊ、給油路１９、ベーン背圧溝１８を介して供給され続け、これによって前記ベーン９は、前記ベーン溝８より絶えず突出する方向に付勢されている。
また、ベーン背圧溝１８の圧力は、給油路１９を介して第２弁座３０ｊ、第２弁球３０ｉにも作用し、この第２弁座３０ｊ、第２弁球３０ｉを閉塞状態に付勢する。そのため、前記第２ガス供給通路３０ｈと油路１９の連通は遮断されている。
【００３２】
前記吐出孔１２から吐出された高圧流体は、高圧通路１５、連通路１６を通過し、高圧室１７へ流入する。ここで流体は、連通穴２１から油分離室２２へ勢いよく噴出する。
【００３３】
したがって、前記高圧室１７から流入した高圧流体（ガス冷媒）は、前記円筒空間２２ａを旋回しつつ円筒空間２２ａの上方に形成されたガス排出口２５より圧縮機１の外部に接続された冷凍サイクル部品（図示せず）へ吐出される。
【００３４】
一方、高圧流体（ガス冷媒）に含まれる潤滑油は、円筒空間２２ａを旋回する中で遠心力により、円筒空間２２ａの内周面２２ｂに接触して張り付き、前記高圧流体（ガス冷媒）から分離される。そして、分離された潤滑油は、前記高圧流体の圧力も作用する関係から円筒空間２２ａの内周面に沿って下方に移動し、先細り開口２３から貯油室２４へ流入する。
【００３５】
このように、圧縮機が運転されている間は、上述の状態が継続されている。
【００３６】
そして、温度調節等の関係から圧縮機１が停止すると、シリンダ２内では、その内部における圧力差から、ロータ６と前部側板３および後部側板４の微小隙間から流体の移動が生じ、その結果、吐出孔１２に近い高圧部の圧力は下降し、吸入孔１０に近い低圧部の圧力は上昇する。
【００３７】
これに伴って、ベーン背圧溝１８内の圧力も下降する。このベーン背圧溝１８の圧力下降に伴い、油路開閉手段３０Ｂにおいても、第１導入路３０ｓを介しての貯油室２４からの圧力および第３バイアスばね３０ｒ及び第２バイアスばね３０ｏの付勢力が作用し、第３弁球３０ｐ、第３弁座３０ｑは閉塞方向に動作し、その結果、給油路１９、第２導入路３０ｔと貯油室２４の連通を遮断する。
【００３８】
一方、ガス通路開閉手段３０Ａにおいても、圧縮機停止後、ある時間放置されて高圧側と低圧側の圧力差が小さくなると、第１バイアスばね３０ｆの作用によって第１プランジャ３０ｃが第１弁座３０ｅ側に移動し、第１球弁３０ｄを開放する状態となる。
【００３９】
これにともない、第２球弁３０ｉ、第２弁座３０ｊも開放状態となり、その結果、ガス供給通路入口部３０ａ、第１ガス供給通路３０ｂ、第２ガス供給通路３０ｈと、給油路１９は、それぞれ連通する。
【００４０】
そして、上記の状態から圧縮機が始動すると、ガス通路開閉手段３０Ａが開放されていること、およびロータ６の回転に伴いベーン９が突出することに起因するベーン溝８内の負圧現象に起因した給油路１９、第２ガス供給通路３０ｈに生じる吸引作用によって、シリンダ２から吐出された高圧流体（ガス冷媒）は、瞬時に高圧室１７からガス取り入れ通路２８へ流入し、ガス供給通路入口部３０ａと流れる。さらに、第１ガス供給通路３０ｂから第２ガス供給通路３０ｈ、第２球弁３０ｉ、第２弁座３０ｊからなる弁機構、さらに給油通路１９を介してベーン背圧溝１８に供給される。
【００４１】
このように、圧縮機１の起動時は、ベーン背圧溝１８に高圧のガス流体（冷媒）が供給されるため、ベーン溝８におけるベーン９の摺動は円滑なものとなり、ベーン９は確実に突出することができる。
【００４２】
さらに、上記動作とほぼ同時に、前記シリンダ２内の吸入圧力より若干高い圧力となる部位の容積拡大に起因したガス導入路３０ｋからの吸引作用により、第１プランジャ３０ｃが下方へ移動し、加えてロータ６の回転にともなって吐出される高圧流体の加圧作用も相乗し、第１ガス供給通路３０ｂの圧力が第１バイアスばね３０ｆに抗して第１球弁３０ｄを第１弁座３０ｅへ押しつけ、第１ガス供給通路３０ｂと第２ガス供給通路３０ｈの連通を遮断する。
【００４３】
ほぼ同時に高圧室１７の圧力は、貯油室２４にも作用し、またこの時、既に第２プランジャ室３０ｌには、シリンダ２内で最も高い圧力に相当する吐出空間２ｃからの圧力が導入されているため、第２プランジャ３０ｎは下方に押され、第３弁球３０ｐ、第３弁座３０ｑが開放されている。また、この状態においては、第２球弁３０ｉは先の給油路１９からの潤滑油圧力によって第２弁座３０ｊへ押圧されており、第２ガス供給通路３０ｈと給油路１９も遮断されている。つまり、図４の状態になっている。
【００４４】
そのため、貯油室２４の潤滑油は、第１導入路３０ｓを介して第２導入路３０ｔから給油路１９を介してベーン背圧溝１８に供給され、前述の圧縮機１の運転状態が再び維持される。
【００４５】
したがって、圧縮機の起動時は、ガス取り入れ通路２８より確実にベーン背圧制御装置３０へ高圧流体のガス成分が供給されるため、ロータ６の回転に伴う遠心力と、ベーン溝８内の負圧現象の解消により、ベーン９を確実に突出させることができる。
【００４６】
また、圧縮機の起動後は、潤滑油２９をベーン溝８内へ供給し、ベーン９とシリンダ２内壁の当たりを確実なものとするため、安定した冷媒の吸入・圧縮・吐出工程が実現でき、圧縮機の信頼性を高めることができる。
【００４７】
さらに、市場サービス時に圧縮機を交換する際、誤って潤滑油を規定量以上に入れ、貯油室２４の油面が上昇しても、貯油室２４内に設けられているベーン背圧制御装置３０のガス供給通路入口部３０ａは、上方の高圧室１７の潤滑油が溜まらない位置で、かつ高圧室１７内に突出したガス取り入れ通路２８に連通しているので、貯油室２４内が潤滑油２９で満杯になってもガス供給通路入口部３０ａが潤滑油で没してしまう事が無く、始動時に確実に高圧流体（ガス冷媒）を供給することができる。
【００４８】
このように、誤って潤滑油が多く注入されても、起動時は瞬時にベーン９を飛び出させることができ、ベーン９の不調現象や圧縮不良現象を防ぐことができる。
なお、本実施の形態においては、潤滑油の分離機構として、所謂旋回式の構造を例に説明したが、潤滑油の分離機構として衝突式や濾過式等の他の分離機構を採用することも可能である。
【００４９】
【発明の効果】
以上説明したように、本発明の圧縮機は、例えば、市場サービスにおいて圧縮機を交換する際、誤って潤滑油を規定量以上入れてしまい、油面が上昇して貯油室満杯となっても、始動時に確実に気流体（ガス冷媒）を供給することができ、その結果、ベーンの不調現象や圧縮不良現象を防ぐことが出来る。
【００５０】
また、本発明は、前記ベーン背圧制御装置を、前記貯油室に配置し、前記ガス供給通路入口部を、前記高圧室の潤滑油が溜まらない箇所に開口しているため、車輌の振動等に起因して潤滑油面が波打っても、潤滑油のガス供給通路入口部への流入が抑制でき、前記ベーン背圧制御装置の動作を確実なものとする。
【００５１】
また、本発明は、前記隔壁に、前記高圧室と貯油室を連通する連通路を設け、前記ベーン背圧制御装置のガス供給通路入口部を、前記連通路に連通させたる構成であるため、前記ベーン背圧制御装置のガス取り入れ構造は、ガス供給通路入口部と、前記連通路を連通させる構成でよく、前記ベーン背圧制御装置の構成は、従来のままでよく、新たな構成要件を前記ベーン背圧制御装置に設ける必要がないものである。
【００５２】
また、本発明は、前記ガス取り入れ通路を、前記隔壁から高圧室内へ所定寸法突出させたことにより、潤滑油のガス供給通路入口部からのガス成分の取り入れがより確実に行える。
【００５３】
さらに、本発明は、前記高圧室の流体と前記貯油室に貯えられた潤滑油を選択的に前記ベーン溝内へ供給する構成であるため、圧縮機の起動時は、ベーン溝内へ高圧室のガス流体を供給してベーンの飛び出し不調を改善し、圧縮機の起動後は、前記ベーン溝内へ貯油室の潤滑油を供給して圧縮機構における流体の吸入・圧縮・吐出作用を確実なものとすることができる。
【図面の簡単な説明】
【図１】本発明の実施の形態を示すベーンロータリ型圧縮機におけるガス供給経路および潤滑油供給経路を示す横断面図
【図２】同圧縮機におけるシリンダの内部構造を示す断面図
【図３】同圧縮機における高圧室カバー（高圧ケース）をシリンダ側から見た一部切り欠き正面図
【図４】同圧縮機におけるベーン背圧制御装置部分の要部拡大断面図
【符号の説明】
１  圧縮機
２  シリンダ
２ａ  吸入空間
２ｂ  圧縮空間
２ｃ  吐出空間
３  前部側板
４  後部側板
５  高圧室カバー
６  ロータ
７  駆動軸
８  ベーン溝
９  ベーン
１０  吸入孔
１１  吸入口
１２  吐出孔
１４  高圧通路カバー
１５  高圧通路
１６  連通路
１７  高圧室
１８  ベーン背圧溝
１９  給油路
２０  隔壁
２１  連通穴
２２  油分離室
２４  貯油室
２５  ガス排出口
２８  ガス取り入れ通路
２９  潤滑油
３０  ベーン背圧制御装置
３０Ａ  ガス通路開閉手段
３０Ｂ  油路開閉手段
【図１】
2005030277.tif 000003
【図２】
2005030277.tif 000004
【図３】
2005030277.tif 000005
【図４】
2005030277.tif 000006